(57)【特許請求の範囲】
【請求項１】
通信ネットワークを介して外部装置と接続され、外部装置からの要求に応じて動作可能な画像送信装置であって、
原稿の画像を読み取り画像データを生成する画像読み取り部と、
上記画像データに対する外部装置からの送信要求に応じて上記画像データを外部の画像受信装置へ送信する画像送信部と、
上記画像読み取り部で生成された画像データが特定画像データであるか否かを判定する特定画像判定部と、
上記特定画像判定部によって上記画像データが特定画像データであると判定された場合に、上記画像送信部における画像データの送信を禁止または制限する送信制御部と、
上記特定画像判定部によって上記画像データが特定画像データであると判定された場合に、その画像データの送信を要求した外部装置の識別情報を記憶する送信要求元情報記憶部と、
上記送信要求元情報記憶部に記憶された識別番号を持つ外部装置からの着信を受付けない着信制御部とを備えていることを特徴とする画像送信装置。
【請求項２】
上記画像読み取り部で生成された画像データを蓄積する画像蓄積部をさらに備え、
上記画像送信部は、上記送信要求に応じて、上記画像蓄積部に予め蓄積された画像データを外部の受信装置へ送信するものであることを特徴とする請求項１記載の画像送信装置。
【請求項３】
外部装置からの送信要求に応じて、上記画像読み取り部を動作させて画像データを生成させると共に、生成された画像データを画像送信部から送信させるよう制御する制御部をさらに備えていることを特徴とする請求項１記載の画像送信装置。
【請求項４】
通信ネットワークを介して外部装置と接続され、外部装置からの要求に応じて動作可能な画像送信装置であって、
外部の画像送信装置から送信された画像データを受信する画像受信部と、
上記画像データに対する外部装置からの送信要求に応じて上記画像データを外部の画像受信装置へ送信する画像送信部と、
上記画像受信部により受信された画像データが特定画像データであるか否かを判定する特定画像判定部と、
上記特定画像判定部によって上記画像データが特定画像データであると判定された場合に、上記画像送信部における画像データの送信を禁止または制限する送信制御部と、
上記特定画像判定部によって上記画像データが特定画像データであると判定された場合に、その画像データの送信を要求した外部装置の識別情報を記憶する送信要求元情報記憶部と、
上記送信要求元情報記憶部に記憶された識別番号を持つ外部装置からの着信を受付けない着信制御部とを備えていることを特徴とする画像送信装置。
【請求項５】
上記画像受信部により受信された画像データを蓄積する画像蓄積部をさらに備え、
上記画像送信部は、上記送信要求に応じて、上記画像蓄積部に予め蓄積された画像データを外部の受信装置へ送信するものであることを特徴とする請求項４記載の画像送信装置。
【請求項６】
外部装置からの送信要求に応じて、外部の画像送信装置に対して画像データの送信を要求する画像送信要求部をさらに備えていることを特徴とする請求項４または５に記載の画像送信装置。
【請求項７】
上記特定画像判定部によって上記画像データが特定画像データであると判定された場合に、その特定画像データの送信要求を送った外部装置へ警告文書を送信する警告部をさらに備えることを特徴とする請求項１ないし６のいずれか１項に記載の画像送信装置。
【請求項８】
画像データを入力する第１のステップと、
上記画像データが特定画像データであるか否かを判定する第２のステップと、
通信ネットワークを介して画像データの送信要求を受け取る第３のステップと、
上記送信要求に応じて画像データを送信する第４のステップとを含み、
上記第４のステップでは、第２のステップで上記画像データが特定画像データであると判定された場合に、画像データの送信を禁止または制限し、
上記第２のステップで上記画像データが特定画像データであると判定された場合に、その画像データの送信を要求した外部装置の識別情報を記憶し、
上記第４のステップの後、上記送信要求元情報記憶部に記憶された識別番号を持つ外部装置からの着信を受付けないことを特徴とする画像送信方法。
【請求項９】
上記第４のステップでは、上記画像データが特定画像データであると判定された場合に、その特定画像データの送信要求を送った外部装置へ警告文書を送信することを特徴とする請求項８記載の画像送信方法。
【発明の詳細な説明】
【０００１】
【発明の属する技術分野】
本発明は、紙幣や有価証券等の特定原稿の偽造を防止する機能を備えた画像送信装置および画像送信方法に関するものである。
【０００２】
【従来の技術】
技術開発の積み重ねの結果、近年では、色再現性に優れ、オリジナルの画像に極めて近い再生画像を提供することができるディジタルカラー複写機が製造されている。しかし、このようなディジタルカラー複写機は、紙幣や有価証券等の偽造に悪用される恐れがある。
【０００３】
一般に、偽造行為が行われるのはディジタルカラー複写機であるため、これに対応する偽造防止機能を備えたディジタルカラー複写機が既に製品化されている。このような偽造防止機能を備えたディジタルカラー複写機は、原稿台に原稿がセットされた時点で原稿をプリスキャンし、セットされた原稿が予め装置に登録されている特定原稿であると判断した場合には、この原稿の画像形成を実行させないか、あるいは、画像の形成は実行するが、出力画像に対して追跡用の特定パターンを付与する処理や、変倍処理、斜体にする処理、鏡像にする処理等の変形処理を施すことで、忠実な画像形成を行わないようにしている。
【０００４】
上述したように、現在、特定原稿の偽造行為はディジタルカラー複写機を利用して行われることが一般的である。従って、例えばファクシミリ装置を使って原稿を送信して特定原稿を偽造するなどの、画像送信装置を用いた偽造行為については考えられていなかった。
【０００５】
【発明が解決しようとする課題】
ところが、カラーファクシミリの普及や、スキャナ、画像処理、プリント技術の向上に伴い、今後は、ファクシミリ等の画像送信装置も偽造行為に用いられることが想定される。よって、紙幣や有価証券のみならず、定期券、回数券等の、コピーに注意を要するものや、著作物が、ファクシミリ装置等の画像送信装置にて送信されて、受信先で偽造行為が行われてしまうというおそれがある。
【０００６】
また、特開平８−１３０６５７号公報には、送信原稿の画像が特殊原稿であると判断される場合に、指示された送信先に対する画像の送信を禁止するファクシミリ装置が記載されている。すなわち、特開平８−１３０６５７号公報には、原稿を読み取ってカラー画像を入力する入力手段と、前記入力手段で入力したカラー画像をファクシミリ送信する送信手段と、前記入力手段で入力したカラー画像が複写を禁止された紙幣・有価証券等の特殊原稿であるか否かを判定する特殊原稿判定手段と、前記特殊原稿判定手段によって特殊原稿であると判定された場合に、前記送信手段を制御して、前記入力されたカラー画像の送信を禁止する制御手段とを備えたファクシミリ装置が開示されている。
【０００７】
しかしながら、画像送信装置を用いた偽造行為は、上記公報のように、スキャンされた画像がファクシミリ装置で直接相手先に送信される場合のみならず、ファクシミリのポーリング送信のように、外部装置からの要求に応じて画像を送信する場合にも考慮しなければならない。
【０００８】
すなわち、ファクシミリのポーリング送（受）信においては、送信側のファクシミリ装置でスキャンされて一旦メモリに蓄積された画像データが、受信側のファクシミリ装置からの送信要求に応じて、受信側のファクシミリ装置に送信される（取り出される）。この場合、受信側のファクシミリ装置から特定原稿の画像データを取り出すことで偽造行為が行なわれる可能性があるので、このような偽造行為も考慮しなければならない。
【０００９】
また、コンピュータ・ネットワーク接続されたパーソナル・コンピュータ等のコンピュータでは、一般に、他のコンピュータ端末からの要求に従って画像データを他のコンピュータ端末に転送可能である。そのため、コンピュータ端末に蓄積された画像データを他のコンピュータ端末から取り出すことで偽造行為が行なわれる可能性があるので、このような偽造行為も考慮しなければならない。
【００１０】
また、最近では、コンピュータ・ネットワークを介してコンピュータ端末に接続され、コンピュータ端末からの要求に従って動作可能なファクシミリ装置（ネットワークスキャナ）が導入されている。このネットワークスキャナが導入されたネットワーク環境では、ネットワークスキャナにおいて読み取った原稿の画像データをネットワーク上のコンピュータ端末からの要求に従って所定のコンピュータ端末に転送したり、ネットワーク上のコンピュータ端末からネットワークスキャナを遠隔操作して指定した画像を取り込んだりすることができる。そのため、このネットワーク環境下では、ネットワーク上のコンピュータ端末からネットワークスキャナを遠隔操作することで行なわれる特定原稿の画像データの送信に対する監視が今後必要となってくる。
【００１１】
また、スキャナで取り込んだ画像データをサーバなどの情報管理装置に蓄積しておき、その後、外部からの要求に応じて画像データを要求先に転送するシステムにおいては、サーバ側において特定原稿の画像データの送信に対する監視が今後必要となってくる。
【００１２】
このように、予め蓄積された画像データを外部からの要求に応じて要求先に送信する画像送信装置や、外部からの要求に応じて画像データを準備し、画像データが準備できた段階で要求してきた先に対して画像データを送信する画像送信装置においても特定原稿の画像データの送信を監視する必要がある。特開平８−１３０６５７号公報には、このような構成の画像送信装置において特殊原稿の送信を禁止した画像送信装置は記載されていない。
【００１３】
本発明は、上記の問題点に鑑みてなされたものであり、画像送信装置で読み取られた紙幣や有価証券等の特定原稿の画像データ、あるいは外部から画像送信装置に入力された特定原稿の画像データを外部装置から取得する特定原稿の偽造行為を防止できる画像送信装置および画像送信方法を提供することにある。
【００１４】
【課題を解決するための手段】
本発明の画像送信装置は、上記の課題を解決するために、通信ネットワークを介して外部装置と接続され、外部装置からの要求に応じて動作可能な画像送信装置であって、原稿の画像を読み取り画像データを生成する画像読み取り部と、上記画像データに対する外部装置からの送信要求に応じて上記画像データを外部の画像受信装置へ送信する画像送信部と、上記画像読み取り部で生成された画像データが特定画像データであるか否かを判定する特定画像判定部と、上記特定画像判定部によって上記画像データが特定画像データであると判定された場合に、上記画像送信部における画像データの送信を禁止または制限する送信制御部と、上記特定画像判定部によって上記画像データが特定画像データであると判定された場合に、その画像データの送信を要求した外部装置の識別情報を記憶する送信要求元情報記憶部と、上記送信要求元情報記憶部に記憶された識別番号を持つ外部装置からの着信を受付けない着信制御部とを備えていることを特徴としている。また、本発明の画像送信装置の好ましい一形態は、上記各部に加えて、上記画像読み取り部で生成された画像データを蓄積する画像蓄積部をさらに備え、上記画像送信部は、上記送信要求に応じて、上記画像蓄積部に予め蓄積された画像データを外部の受信装置へ送信する構成である。また、本発明の画像送信装置の他の好ましい形態は、上記各部に加えて、外部装置からの送信要求に応じて、上記画像読み取り部を動作させて画像データを生成させると共に、生成された画像データを画像送信部から送信させるよう制御する制御部をさらに備えている構成である。
【００１５】
これらの構成によれば、画像読み取り部で生成された画像データが特定画像データと判断された場合には、画像送信部における画像データの送信を制御（好ましくは禁止または制限）するので、画像読み取り部で生成された特定原稿の画像データ（特に画像送信装置に蓄積されている特定原稿の画像データ）の送信を防止できる。それゆえ、画像読み取り部で生成された特定原稿の画像データを外部から取得する特定原稿の偽造行為を防止することができる。
【００１６】
本発明の画像送信装置は、上記の課題を解決するために、通信ネットワークを介して外部装置と接続され、外部装置からの要求に応じて動作可能な画像送信装置であって、外部の画像送信装置から送信された画像データを受信する画像受信部と、上記画像データに対する外部装置からの送信要求に応じて上記画像データを外部の画像受信装置へ送信する画像送信部と、上記画像受信部により受信された画像データが特定画像データであるか否かを判定する特定画像判定部と、上記特定画像判定部によって上記画像データが特定画像データであると判定された場合に、上記画像送信部における画像データの送信を禁止または制限する送信制御部と、上記特定画像判定部によって上記画像データが特定画像データであると判定された場合に、その画像データの送信を要求した外部装置の識別情報を記憶する送信要求元情報記憶部と、上記送信要求元情報記憶部に記憶された識別番号を持つ外部装置からの着信を受付けない着信制御部とを備えていることを特徴としている。また、本発明の画像送信装置の好ましい一形態は、上記各部に加えて、上記画像受信部により受信された画像データを蓄積する画像蓄積部をさらに備え、上記画像送信部は、上記送信要求に応じて、上記画像蓄積部に予め蓄積された画像データを外部の受信装置へ送信する構成である。また、本発明の画像送信装置の他の好ましい形態は、上記各部に加えて、外部装置からの送信要求に応じて、外部の画像送信装置に対して画像データの送信を要求する画像送信要求部をさらに備えている構成である。
【００１７】
これらの構成によれば、外部の画像送信装置から受信した画像データが特定画像データと判断された場合には、画像送信部における画像データの送信を制御（好ましくは禁止または制限）するので、外部の画像送信装置から受信した特定原稿の画像データの送信を防止できる。それゆえ、外部から画像送信装置に入力された特定原稿の画像データを外部から取得する特定原稿の偽造行為を防止することができる。
【００１８】
また、上記各構成の画像送信装置は、上記画像データが特定画像データであると判定された場合に、その画像データの送信を要求した外部装置に関する情報を記憶する送信要求元情報記憶部をさらに備えていることが好ましい。
【００１９】
上記構成によれば、画像データの送信を要求した外部装置に関する情報を記憶するので、特定原稿の偽造行為を行おうとした外部装置を特定することができる。これにより、どこの外部装置で特定原稿の偽造行為が図られたのか等を特定でき、偽造行為の追跡を行うことができる。
【００２０】
また、送信要求元情報記憶部を備える構成においては、上記画像データが特定画像データであると判定されたときに、送信要求元情報記憶部に記憶された情報に対応する外部装置からの送信要求を受付けない構成にすることも可能である。この構成では、特定原稿の画像データを外部から取得する特定原稿の偽造行為をより確実に防止することができる。
【００２１】
また、送信要求元情報記憶部を備える構成においては、特定画像の偽造行為を行おうとした相手に対して、相手先の外部装置に警告文書を送信する等の方法で警告を発することができる。
【００２２】
また、上記各構成の画像送信装置は、特定画像データであると判定された画像データに関する情報を記憶する特定画像情報記憶部をさらに備えていてもよい。
【００２３】
本発明の画像送信方法は、上記の課題を解決するために、画像データを入力する第１のステップと、上記画像データが特定画像データであるか否かを判定する第２のステップと、通信ネットワークを介して画像データの送信要求を受け取る第３のステップと、上記送信要求に応じて画像データを送信する第４のステップとを含み、上記第４のステップでは、第２のステップで上記画像データが特定画像データであると判定された場合に、画像データの送信を禁止または制限し、上記第２のステップで上記画像データが特定画像データであると判定された場合に、その画像データの送信を要求した外部装置の識別情報を記憶し、上記第４のステップの後、上記送信要求元情報記憶部に記憶された識別番号を持つ外部装置からの着信を受付けないことを特徴としている。
【００２４】
上記方法によれば、入力した画像データが特定画像データと判断された場合には、画像データの送信を制御（好ましくは禁止または制限）するので、通信ネットワークを介して特定原稿の画像データを取得することにより行われる特定原稿の偽造行為を防止することができる。
【００２５】
【発明の実施の形態】
〔第１の実施の形態〕
本発明の一実施形態について、図１ないし図６に基づいて説明すれば、以下のとおりである。
【００２６】
図２に示すように、本発明の一実施形態に係る画像送信装置としてのディジタル画像形成装置１は、コピー、ファクシミリ（ＦＡＸ）、プリンタ等の機能を備えたディジタル複合機（ファクシミリ機能付きディジタル複合機）であり、通信ネットワークとしての公衆回線（電話回線）４やインターネット５、ＬＡＮ（ローカル・エリア・ネットワーク）６を介して、外部装置としてのファクシミリ装置２Ａ・２Ｂやパーソナル・コンピュータ等のコンピュータ３Ａ・３Ｂに接続された、コンピュータ・ネットワーク上の装置である。
【００２７】
図２の例では、ディジタル画像形成装置１は、公衆回線４を介して３つのファクシミリ装置２Ａおよび１つのＦＡＸモデム付のコンピュータ３Ａに接続され、インターネット５およびＬＡＮ６を介して１つのネットワーク機能（コンピュータ・ネットワークを介して外部装置とデータ通信できる機能）付のファクシミリ装置２Ｂおよび１つのネットワーク機能付のコンピュータ３Ｂに接続されている。また、ファクシミリ装置２Ａの１つは、ネットワーク機能を備え、ＬＡＮ６およびインターネット５を介してもディジタル画像形成装置１に接続されている。さらに、ディジタル画像形成装置１は、ＬＡＮ６を介して１つのネットワーク機能付のコンピュータ３Ｂに接続されている。
【００２８】
図２は、本実施形態に係るディジタル画像形成装置１の概略構成を示すブロック図である。図２に示すように本実施形態のディジタル画像形成装置１は、ファクシミリのポーリング送信機能、すなわち、公衆回線４を介してファクシミリ装置（外部装置、外部の画像受信装置）２Ａからの送信要求（ポーリング送信要求）を受け取り、この送信要求に応じて公衆回線４を介して画像データをファクシミリ装置２Ａへ送信する機能を備えている。
【００２９】
上記ディジタル画像形成装置１は、画像読取装置１１、操作パネル１２、プリンタ１３、公衆回線４を介してＦＡＸ送受信を行うためのＦＡＸ送受信部（画像送信部）１４、電子メール（ｅ−ｍａｉｌ）送受信部１５、警告文書作成部２４、および、これらを制御している制御部（送信制御部）１６などを有している。
【００３０】
上記操作パネル１２は、各種モード（コピーモード、ＦＡＸモード、プリンタモード等）における各種の設定、例えば、ＦＡＸ送信時の画質設定や、送信宛先の入力、ポーリング送信用画像データの登録などをユーザが行うためのものである。操作パネル１２の動作は、パネル制御部１７を介して制御部１６により制御されている。また、図示しないが、操作パネル１２内には、操作パネル１２にて行われた各種の設定内容を表示するための表示部が設けられている。なお、操作パネル１２にて行われた設定内容は、上記表示部に表示されると共に第２のメモリ１８に記憶される。
【００３１】
上記画像読取装置１１には、原稿の画像を読み取り、読み取られた原稿の画像データを生成する読取部（画像読み取り部）１９と、読取部１９において生成された画像データを記憶（蓄積）する第１のメモリ（画像蓄積部）２０とが設けられている。この第１のメモリ２０内には、図示しない複数のメモリボックス（記憶領域）が設定されており、各メモリボックスには互いに異なる原稿の画像データを登録（記憶）できるようになっている。外部のファクシミリ装置２Ａでは、「特定のメモリボックスに登録されている画像データを送信せよ（取り出せ）」という要求（取り出し要求）を、公衆回線４を介してディジタル画像形成装置１に送信できるようになっている。このメモリボックスに登録されている画像データの取り出し要求（ポーリング送信要求）が外部のファクシミリ装置２Ａからディジタル画像形成装置１に送られた場合には、ＦＡＸ送受信部１４が、制御部１６による制御の下で、そのメモリボックスに登録されている画像データを、公衆回線４を介してポーリング送信要求元のファクシミリ装置２Ａに送信する。
【００３２】
また、上記画像読取装置１１には、特定原稿のサンプルデータが予め記憶されている第３のメモリ２１と、読み取られた原稿が特定原稿か否かを判定する特定原稿判定部（特定画像判定部）２２と、特定原稿の登録行為が行なわれたことを記憶する第４のメモリ（特定画像情報記憶部、送信要求元情報記憶部）２３とが設けられている。
【００３３】
この特定原稿判定部２２は、第１のメモリ２０に記憶されている原稿の画像データと、第３のメモリ２１に予め記憶されている特定原稿のサンプルデータとを比較することにより、読み取られた原稿が特定原稿か否かを判定している。なお、この画像読取装置１１の特定原稿判定部２２による特定原稿判定についての処理動作については、後で詳しく説明する。
【００３４】
また、第４のメモリ２３は、原稿の読み取り時に、特定原稿を登録しようとする行為（偽造行為）がなされたかどうかの情報（「特定原稿登録行為のあり／なし」の情報）をメモリボックス毎（メモリボックスの番号毎）に記憶するものである。また、第４のメモリ２３は、「特定原稿登録行為あり」のメモリボックスに対してポーリング送信要求があった場合には、そのポーリング送信要求元のファクシミリ装置２ＡのＦＡＸ番号（相手先ＦＡＸ番号）などの送信要求元情報、および「特定原稿登録行為あり」のメモリボックスに登録された画像データに関する情報（特定画像情報）もメモリボックス毎に記憶するようになっている。
【００３５】
上記プリンタ１３は、コピーモード、ＦＡＸモード、プリンタモード時に、第１のメモリ２０に記憶された原稿の画像データを用いて紙等の記録材上に画像を出力するためのものである。また、電子メール送受信部１５は、インターネット５やＬＡＮ６等のコンピュータ・ネットワークを介して電子メールの送受信を行うためのものである。
【００３６】
上記警告文書作成部２４は、偽造行為に使用されたメモリボックス（「特定原稿登録行為あり」のメモリボックス）に対してポーリング送信要求があった場合に、ポーリング送信要求元のファクシミリ装置２Ａに対して警告を行うための文書を作成するものである。
【００３７】
図３は、ファクシミリのポーリング通信時に、ポーリング送信要求側のファクシミリ装置（ここでは、ディジタル画像形成装置１の第１のメモリ２０に記憶されている原稿の画像データを取り出して、原稿の画像データを出力しようとする外部のファクシミリ装置２Ａ）とポーリング送信側のファクシミリ装置（ここでは、ディジタル画像形成装置１）との間で行なわれる通信手順を表わす図である。
【００３８】
ファクシミリのポーリング送信時には、ポーリング送信要求側のファクシミリ装置（以下、「ポーリング要求側」と称する）が発呼端末、ポーリング送信側のファクシミリ装置（以下、「ポーリング送信側」と称する）が被呼端末として通信が行なわれる。図３に示すように、まず、ポーリング要求側から、ポーリング要求側（発呼端末）がファクシミリ装置（非音声端末）であることを示す信号であるＣＮＧ信号（コーリング・トーン）が発信される。次いで、これに応答して、ポーリング送信側から、ポーリング送信側（被呼端末）がファクシミリ装置であることを応答する信号であるＣＥＤ(Called Station Identification) 信号  （被呼端末識別信号）が発信される。
【００３９】
その後、ポーリング送信側は、相互通信における自機（ポーリング送信側）に独自の機能（非標準機能；親展通信機能や中継機能など）を表す信号であるＮＳＦ(Non-Standard Facilities) 信号（非標準機能識別信号）をポーリング要求側へ発信する。さらに、ポーリング送信側は、ポーリング送信側（被呼端末）の電話番号（最大２０桁）を表す信号であるＣＳＩ(Called Subscriber Identification)信号（被呼端末識別信号）、および自機（ポーリング送信側）の受信性能  （データ伝送速度、解像度、最大受信帯域幅など）をポーリング要求側に知らせるための信号であるＤＩＳ(Digital Identification Signal) 信号（ディジタル識別信号）を、ポーリング要求側に発信する。
【００４０】
ポーリング送信側によるＮＳＦ信号、ＣＳＩ信号、およびＤＩＳ信号の発信に対応して、ポーリング要求側は、ポーリング要求を行うことを示すため、相互通信における自機（ポーリング要求側）に独自の機能（親展通信機能や中継機能など）を表す信号であるＮＳＣ(Non-Standard Facilities Command) 信号（非標準機能命令信号）、ポーリング要求側（発呼端末）の電話番号（最大２０桁）を表す信号であるＣＩＧ信号(Calling Subscriber Identification) 信号（発呼端末識別信号）、および相手端末にメッセージの送信権を委譲するときに自機（ポーリング要求側）の受信性能（データ伝送速度、解像度、最大受信帯域幅など）をポーリング送信側に知らせるための信号であるＤＴＣ(Digital Transmit Command)信号（ディジタル送信命令信号）を、ポーリング送信側へ発信する。
【００４１】
ポーリング通信においては、上述のように、ポーリング要求側が、ＮＳＣ、ＣＩＧ、およびＤＴＣ信号の発信により、ポーリング通信を行うことを宣言する。
【００４２】
ポーリング要求側の装置によるＮＳＣ、ＣＩＧ、およびＤＴＣ信号の発信に対応して、ポーリング送信側の装置は、相互通信における自機（ポーリング送信側）に独自の機能（親展通信機能や中継機能）の設定を表す信号であるＮＳＳ(Non-Standard facilities Set-up)信号（非標準機能設定信号）、ポーリング送信側の装置における電話番号（最大２０桁）を表す信号であるＴＳＩ(Transmitting Subscriber Identification)信号（送信端末識別信号）、および自機（ポーリング要求側）の受信性能（データ伝送速度、解像度、最大受信帯域幅など）の設定をポーリング送信側に知らせるための信号であるＤＣＳ(Digital Transmit Command)信号（ディジタル命令信号）を、ポーリング要求側へ発信する。
【００４３】
このように、送信側（ポーリング送信側）と受信側（ポーリング要求側）との間で、自機の非標準機能信号・自機の電話番号・自機の性能信号をやりとりした後に、ポーリング送信側からポーリング要求側ヘ、トレーニングのために、Ｔｒ信号（トレーニング信号）およびトレーニングチェック信号であるＴＣＦ(Training Check)信号が発信される。これら信号の伝送速度に基づいて、回線が使用可能な状態にあるか確認される。トレーニングが正常に終了し、回線が使用可能であると確認されれば、ポーリング要求側からポーリング送信側へ、受信準備完了（受信準備ＯＫ）を表す信号であるＣＦＲ(Confirmation to Receive) 信号（受信準備確認信号）が発信される。
【００４４】
その後、ポーリング送信側からポーリング要求側へ画像データの信号であるＭＳＧ信号が発信される。このＭＳＧ信号の前に、もう一度確認のためにＴｒ信号が付加されて発信される。その後、１ページ分の画像データ信号の送信が終了した時点で、ページ終了信号であるＥＯＰ(End of Procedure)信号（手順終了信号）がポーリング送信側からポーリング要求側へ発信される。これに対応して、ポーリング要求側はポーリング送信側に対して、画像データ信号を正確に受け取ったこと（受信ＯＫ）を知らせるための信号であるＭＣＦ(Message Confirmation)信号（メッセージ確認信号）を発信する。
【００４５】
次のページ分の画像データがある場合には、再度ＭＳＧ信号の送受信が実施される。送信すべき画像データがなくなった場合、ポーリング送信側は、データ送信を終了して回線を切断することをポーリング要求側に示す信号であるＤＣＮ(Disconnect)信号（切断命令信号）をポーリング要求側に発信し、これによって一連のファクシミリのポーリング通信が終了する。
【００４６】
次に、画像読取装置１１により特定原稿の登録行為があった際の処理動作と、特定原稿の登録行為があったメモリボックスに対して取り出し要求があった際の処理動作について、図４および図５のフローチャートを用いて説明する。なお、ここでは、１枚の原稿の画像をファクシミリ送信する場合の偽造防止処理について説明する。
【００４７】
まず、ユーザは、送信しようとする原稿を読取部１９にセットし（Ｓ１０１）、セットした原稿の画像データを登録するメモリボックスの番号を操作パネル１２から入力する（Ｓ１０２）。これにより、登録先のメモリボックスの番号が第２のメモリ１８に記憶される。この例では、登録先のメモリボックスの番号が、「００」、「０１」、「０２」…といった２桁の数字で設定される。
【００４８】
次に、ユーザが、セットされた送信しようとする原稿の種類、例えば画像の種類（写真か文字か等）や文字の大きさや濃さに合わせて、操作パネル１２を操作することで画質および濃度を設定する（Ｓ１０３）。画質および濃度の設定も、同様に第２のメモリ１８に記憶される。
【００４９】
ここで、画質とは、読取部（スキャナ）１９における読み取り解像度のことであり、図６に示すような「普通字」、「小さな字」、「精細」、および「高精細」の４つのモードがある。なお、各モードの詳しい内容および読み取り解像度については、図６中に示す。また、濃度にも「自動」、「濃い」、および「薄い」の３つのモードがある。画質および濃度は、これらのモードの中からユーザが任意に設定できるものである。これらは、例えば、画質が「高精細」（４００ｄｐｉ(dots per inch) ×４００ｄｐｉの読み取り解像度）、濃度が「自動」に設定される。
【００５０】
ユーザが、Ｓ１０３にて登録原稿の設定を完了した後、操作パネル１２の登録開始キーを押下すると（Ｓ１０４）、読取部１９にセットされた原稿が特定原稿かどうかの判定を行うためのプリスキャンが行われる（Ｓ１０５）。このプリスキャンは、ユーザが設定した画質および濃度に関係なく、予め定められた画質および濃度で行われる。このＳ１０５でプリスキャンされた原稿の画像データは、画像蓄積部としての第１のメモリ（画像メモリ）２０に登録（記憶）される（Ｓ１０６）。次いで、特定原稿判定部２２により、第１のメモリ２０に記憶された登録原稿の画像データと第３のメモリ２１に記憶されている特定原稿のサンプルデータとが比較され、登録原稿が特定原稿であるか否かが判定される（Ｓ１０７）。
【００５１】
上記の特定原稿とは、例えば、紙幣、有価証券、印章、公文書、各種交通機関の定期券や回数券等の複製されてはならないもの；機密文書や著作物（絵画や写真など）等の複製が制限されるべきものが挙げられる。Ｓ１０７では、第１のメモリ２０に記憶された登録原稿のデータの全体または一部がこれらの原稿の画像データと類似している場合に、登録原稿が特定原稿であると判定する。
【００５２】
Ｓ１０７での判定の結果、登録原稿が特定原稿ではないと判断されれば、読取部１９は、読取部１９にセットされた原稿を、Ｓ１０３にてユーザが設定したとおりの画質および濃度（例えば、画質「高精細」および濃度「自動」）でスキャンし（Ｓ１０８）、Ｓ１０２にて入力されたメモリボックス番号に対応する第１のメモリ２０上のメモリボックス（指定メモリボックス）に登録原稿の画像データを記憶する（Ｓ１０９）。
【００５３】
一方、Ｓ１０７での判定の結果、登録原稿が特定原稿であると判定された場合、Ｓ１０２にて入力されたメモリボックス番号に対応するメモリボックスの記憶内容、すなわち登録原稿の画像データを消去（クリア）する。それと共に、Ｓ１１１で、Ｓ１０２にて入力されたメモリボックス番号に対応するメモリボックスで特定原稿の登録行為（偽造行為）があったか否かを示す情報として、そのメモリボックスに記憶された登録原稿の画像データに関する情報などを第４のメモリ２３に記憶する。なお、図１では、メモリボックス番号「０１」に対応するメモリボックスに登録された登録原稿が特定原稿であり、メモリボックス番号「０２」に対応するメモリボックスに登録された登録原稿が特定原稿でない例を示している。
【００５４】
なお、図４の説明では、外部からの要求に応じて１枚の原稿に対応する画像データを送信する場合について説明したが、複数枚の原稿に対応する画像データを送信することも可能である。その場合、図４の処理を原稿１枚毎に繰り返してもよく、複数枚の原稿に対してＳ１０１〜Ｓ１０６の画像登録処理を一括して行った後、原稿１枚毎にＳ１０７〜Ｓ１１１の処理を行うようにしてもよい。また、前者の処理方法では、複数枚の原稿の一部に特定原稿が含まれていた場合、その特定原稿の画像データの送信のみが禁止される。後者の処理方法では、複数枚の原稿の一部に特定原稿が含まれていた場合、その特定原稿の画像データの送信のみを禁止してもよいが、特定原稿の画像データを含む全ての原稿画像データの送信を禁止してもよい。
【００５５】
次に、第１のメモリ２０上のメモリボックスで特定原稿の登録行為があったときに、他のファクシミリ装置２Ａから取り出し要求（ポーリング送信要求）があった際の処理動作について説明する。
【００５６】
他のファクシミリ装置２Ａから着信すると（Ｓ２０１）、前述のＣＮＧ信号が到来するかどうかを判断する事により、ファクシミリ通信であるか通話（音声通信）であるかを判定する（Ｓ２０２）。Ｓ２０２での判定の結果、ファクシミリ通信でなければ通話であるとして通話を行う（Ｓ２０６）。
【００５７】
一方、Ｓ２０２での判定の結果、ファクシミリ通信であれば、これが画像データの取り出し要求（ポーリング送信要求）であるかを判定し（Ｓ２０３）、ポーリング送信要求でなければ通常のファクシミリ受信処理を行う（Ｓ２０７）。
【００５８】
Ｓ２０３での判定の結果、ポーリング送信要求であれば、第４のメモリ２３に記憶された、特定原稿の登録行為（偽造行為）があったか否かを示す情報に基づいて、ポーリング送信要求のあったメモリボックス番号が特定原稿の登録行為のあったメモリボックス番号であるか否かを判定する（Ｓ２０４）。その結果、ポーリング送信要求のあったメモリボックス番号が特定原稿の登録行為のあったメモリボックス番号以外であれば、ポーリング送信要求のあったメモリボックス番号に対応するメモリボックスに登録されている画像データをポーリング送信要求元（ポーリング要求側）のファクシミリ装置２Ａに送信する（Ｓ２０５）。
【００５９】
一方、Ｓ２０４での判定の結果、ポーリング送信要求のあったメモリボックス番号が特定原稿の登録行為のあったメモリボックス番号であれば、上述のＣＩＧ信号に含まれている、ポーリング要求側（発信元）のファクシミリ番号、例えば「１２−３４５６」を第４のメモリ２３に記憶させる（Ｓ２０８）。続いて、プリンタ１３にて上記メモリボックス番号のメモリボックスに対してポーリング送信要求があった旨の着信記録を印刷（プリントアウト）する（Ｓ２０９）。それと共に、上述の警告文書作成部２４で偽造行為に対する警告の文書を作成し、作成された警告文書の画像データを上記メモリボックス番号のメモリボックスに送信画像データとして記憶させる（Ｓ２１０）。そして、警告文書の画像データをポーリング送信要求元（ポーリング要求側）のファクシミリ装置２Ａに送信する（Ｓ２０５）。なお、Ｓ２０９のステップは省略が可能である。
【００６０】
以上のように、本実施形態のディジタル画像形成装置１においては、読取部１９で生成されメモリボックスに登録された原稿の画像データが特定原稿の画像データであると判断されると、メモリボックスに登録された登録原稿の画像データを消去し、特定原稿の登録行為があったことだけを記憶するようになっている。それゆえ、ディジタル画像形成装置１では、外部のファクシミリ装置２Ａから登録原稿のポーリング送信要求があっても、その登録原稿が特定原稿であれば、ポーリング要求側のファクシミリ装置２Ａに対する登録原稿の画像データの送信が禁止される。従って、ポーリング要求側のファクシミリ装置２Ａの出力装置（印刷装置）では、特定原稿の画像を出力（印刷）することはできない。これにより、特定原稿の画像データをファクシミリ装置２Ａにポーリング送信することによる特定原稿の偽造行為を防止できる。
【００６１】
しかも、本実施形態のディジタル画像形成装置１においては、特定原稿に対するポーリング送信要求を受けたときに、ポーリング要求元のファクシミリ番号を記憶するので、特定原稿の偽造行為を行おうとしたファクシミリ装置２Ａを特定することができる。これにより、どこのファクシミリ装置２Ａで特定原稿の偽造行為が図られたのか等を特定でき、偽造行為の追跡を行うことができる。
【００６２】
なお、ポーリング要求のあったメモリボックスが特定原稿の登録行為のあったメモリボックスであった場合には、メモリの登録画像の取り出し要求（送信要求）を送ってきた外部のファクシミリ装置２Ａ（ポーリング要求側のファクシミリ装置２Ａ）の識別番号（例えばファクシミリ番号）を記憶するとともに、今後、この識別番号を持つ外部のファクシミリ装置２Ａからの着信を受付けないようにする機能を、制御部１６に持たせるようにすることも可能である。こうした場合には、今回の偽造防止も含めて、今後この外部のファクシミリ装置２Ａによる偽造を確実に防止することができる。
【００６３】
また、以上の説明では、ファクシミリ装置２Ａからの送信要求によるポーリング送信において、ファクシミリ装置２Ａへの特定原稿の画像送信を防止する場合について説明した。しかしながら、本実施形態のディジタル画像形成装置１は、他のファクシミリ機能を備えた外部装置（例えばＦＡＸモデム付のコンピュータ３Ａ）からの送信要求に応じてその外部装置へポーリング送信することも可能であり、その場合にも同様にして外部装置への特定原稿の画像送信を防止することができる。
【００６４】
〔第２の実施の形態〕
次に、本発明の他の実施形態に係る画像送信装置として、スキャナ機能およびファクシミリ送信機能を備えると共に、インターネット５やＬＡＮ６等のコンピュータ・ネットワークを介してネットワーク機能付のコンピュータ３Ｂ等の外部のコンピュータ端末（以下、単に外部端末と称する）から画像データの送信要求を受け取り、その送信要求に応じて画像データを送信可能なディジタル画像形成装置（ネットワークスキャナ機能付きディジタル複合機）に本発明を適用した形態を図７ないし図９に基づいて説明する。図７は、上記ディジタル画像形成装置の概略構成を示すブロック図である。なお、説明の便宜上、前記実施の形態１にて示した各部材と同一の機能を有する部材には、同一の符号を付記し、その説明を省略する。
【００６５】
図７に示すように、本実施形態に係る画像送信装置としてのディジタル画像形成装置７１は、ディジタル画像形成装置１におけるＦＡＸ送受信部１４を、インターネット５やＬＡＮ６を介して画像データの送受信を行うための画像データ送受信部（画像送信部）３４に変更する以外はディジタル画像形成装置１と同様の構成を備えている。すなわち、ディジタル画像形成装置７１は、画像読取装置１１、操作パネル１２、プリンタ１３、画像データ送受信部３４、電子メール送受信部１５、警告文書作成部２４、および、これらを制御している制御部１６などを有している。また、図示しないが、ディジタル画像形成装置７１も、図２のディジタル画像形成装置１と同様に、公衆回線４を介してファクシミリ装置２ＡおよびＦＡＸモデム付のコンピュータ３Ａに接続されていると共に、インターネット５やＬＡＮ６を介してネットワーク機能付のファクシミリ装置２Ｂおよびネットワーク機能付のコンピュータ３Ｂに接続されている。
【００６６】
上記操作パネル１２は、各種モード（コピーモード、ＦＡＸモード、プリンタモード、ネットワークスキャナモード等）における各種の設定、例えば、ＦＡＸモードにおける画像送信時の画質設定や送信宛先の入力などをユーザが行うためのものである。操作パネル１２の動作は、パネル制御部１７を介して制御部１６により制御されている。また、図示しないが、操作パネル１２内には、操作パネル１２にて行われた各種の設定内容を表示するための表示部が設けられている。なお、操作パネル１２にて行われた設定内容は、上記表示部に表示されると共に第２のメモリ１８に記憶される。
【００６７】
上記画像読取装置１１には、原稿の画像を読み取り、読み取られた原稿の画像データを生成する読取部１９と、読取部１９において生成された画像データを記憶する第１のメモリ２０が設けられている。この第１のメモリ２０内には、図示しない複数のメモリボックス（記憶領域）が設定されており、各メモリボックスには互いに異なる原稿の画像データを登録できるようになっている。インターネット５やＬＡＮ６を介してディジタル画像形成装置７１に接続されたコンピュータ３Ｂでは、「特定のメモリボックスに記憶されている画像データを送信せよ」という要求（取り出し要求）を、インターネット５やＬＡＮ６を介してディジタル画像形成装置７１に送信できるようになっている。このメモリボックスに登録されている画像データの取り出し要求（ポーリング送信要求）が外部のコンピュータ３Ｂからディジタル画像形成装置１に送られた場合には、画像データ送受信部３４は、制御部１６による制御の下で、そのメモリボックスに登録されている画像データを、インターネット５やＬＡＮ６を介して送信要求元のコンピュータ３Ｂに送信するようになっている。
【００６８】
また、上記画像読取装置１１には、特定原稿のサンプルデータが予め記憶されている第３のメモリ２１と、読み取られた原稿が特定原稿か否かを判定する特定原稿判定部２２と、特定原稿の登録行為が行なわれたことを記憶する第４のメモリ２３とが設けられている。
【００６９】
この特定原稿判定部２２は、第１のメモリ２０に記憶されている原稿の画像データと、第３のメモリ２１に予め記憶されている特定原稿のサンプルデータとを比較することにより、特定原稿か否かを判定している。なお、この画像読取装置１１による特定原稿判定についての処理動作については、後で詳しく説明する。
【００７０】
また、第４のメモリ２３は、原稿の読み取り時に、特定原稿を登録しようとする行為（偽造行為）がなされたかどうかの情報（「特定原稿登録行為のあり／なし」の情報）をメモリボックス毎（メモリボックスの番号毎）に記憶するものである。また、第４のメモリ２３は、「特定原稿登録行為あり」のメモリボックスに対してポーリング送信要求があった場合には、そのポーリング送信要求元のファクシミリ装置２ＡのＦＡＸ番号（相手先ＦＡＸ番号）などの送信要求元情報、および「特定原稿登録行為あり」のメモリボックスに登録された画像データに関する情報（特定画像情報）もメモリボックス毎に記憶するようになっている。
【００７１】
上記プリンタ１３は、コピーモード、ＦＡＸモード、プリンタモード時に、第１のメモリ２０に記憶された原稿の画像データを用いて画像を出力するためのものである。
【００７２】
上記警告文書作成部２４は、偽造行為に使用されたメモリボックス（「特定原稿登録行為あり」のメモリボックス）に対してポーリング送信要求があった場合に、ポーリング送信要求元のファクシミリ装置２Ａに対して警告を行うための文書を作成するものである。
【００７３】
図８は、ディジタル画像形成装置７１に対するネットワーク上のコンピュータ３Ｂ（外部端末）からの送信要求時に行われる通信手順を、コンピュータ３Ｂおよびディジタル画像形成装置７１の動作の流れに対応付けて表わす図である。図８に示すように、まず、送信要求側であるコンピュータ３Ｂからディジタル画像形成装置７１に対して通信が要求される（Ｓ８０１）。具体的には、送信要求に係る通信を開始することを宣言する要求信号（要求開始信号）やコンピュータ３Ｂの識別信号などが送信される。これらの信号に対して、ディジタル画像形成装置７１は、通信要求を受け付け（Ｓ８０２）、コンピュータ３Ｂの識別信号をもとにコンピュータ３Ｂを特定し、コンピュータ３Ｂに対して応答信号（準備完了信号）を送出（発信）する（Ｓ８０３）。
【００７４】
これに対応して、送信要求側のコンピュータ３Ｂは、ディジタル画像形成装置７１内に管理されている画像データの中から、送信しようとする画像データを特定するための画像特定情報、例えば画像データが記憶されているメモリボックスの番号に関する情報を送信し、その情報に対応した画像データの送信を要求する（Ｓ８０５）。これに対し、ディジタル画像形成装置７１は、上記の画像特定情報に基づいて、特定原稿判定・警告文書作成処理を行った（Ｓ８０６）後、画像データをコンピュータ３Ｂへと送信する画像送信処理（Ｓ８０７〜Ｓ８１８）へ移行する。上記の特定原稿判定・警告文書作成処理については、後述する。
【００７５】
画像送信処理では、まず、ディジタル画像形成装置７１が、画像特定情報などから、送信が要求された画像データを特定（確定）する（Ｓ８０７）。その後、ディジタル画像形成装置７１は、Ｓ８０６で特定された画像データに含まれるパスワードの設定情報に基づいて、セキュリティを考慮したパスワードが画像データに設定されているか否かを判別する（Ｓ８０８）。ディジタル画像形成装置７１は、パスワードが設定されていなければ、画像データをコンピュータ３Ｂに送出（送信）する（Ｓ８１３）一方、パスワードが設定されていれば、パスワードの確認ステップＳ８０８〜Ｓ８１２を行い、パスワードが確認できた段階（Ｓ８１２）で画像データをコンピュータ３Ｂに送信する（Ｓ８１３）。
【００７６】
パスワードの確認ステップでは、まず、ディジタル画像形成装置７１がコンピュータ３Ｂに対してパスワードを要求する（Ｓ８０９）。これに対して、コンピュータ３Ｂでは、ユーザに対してパスワードの入力が要求され、ユーザがパスワードを入力すると、そのパスワードをディジタル画像形成装置７１に送出する  （Ｓ８１０）。なお、図８に破線で示すように、コンピュータ３Ｂは、パスワードの要求がなかった場合、パスワードを送出することなく、後述するＳ８１４に進む。パスワードの送出に対して、ディジタル画像形成装置７１では、パスワードを受信し（Ｓ８１１）、パスワードが正しい（ＯＫ）かを確認する（Ｓ８１２）。ディジタル画像形成装置７１は、パスワードが正しければ、画像データをコンピュータ３Ｂに送出する（Ｓ８１３）一方、パスワードが正しくなければＳ８０９に戻って再度パスワードを要求する。
【００７７】
以上のようにしてディジタル画像形成装置７１から画像データが送信されると、その画像データがコンピュータ３Ｂで受信される（Ｓ８１４）。コンピュータ３Ｂとディジタル画像形成装置７１との間で画像データの送受信が完了すると、画像データの送受信が完了したことをコンピュータ３Ｂとディジタル画像形成装置７１との間で互いに確認するため、送受信が完了したことを示す信号が送受信される。すなわち、画像データの送受信が完了すると、まず、画像データの受信を完了したことを示す受信完了信号が、コンピュータ３Ｂから送出され（Ｓ８１５）、ディジタル画像形成装置７１で受信される（Ｓ８１６）。次いで、画像データの送信処理が終了したことを示す終了信号が、ディジタル画像形成装置７１から送出され（Ｓ８１７）、コンピュータ３Ｂで受信される（Ｓ８１８）。これにより、画像データの送信要求に基づく画像データの送受信の処理が完了する。
【００７８】
画像読取装置１１により特定原稿の登録行為があった際の処理動作と、メモリボックスに対して取り出し要求があった際の処理動作については、基本的には第１の実施の形態と同様であり、図４および図９のフローチャートに示すような流れで持って処理される。
【００７９】
すなわち、まず、ユーザは、送信しようとする原稿を読取部１９にセットし  （Ｓ１０１）、セットした原稿の画像データを登録するメモリボックスの番号を操作パネル１２から入力する（Ｓ１０２）。これにより、登録先のメモリボックスの番号が第２のメモリ１８に記憶される。この例では、登録先のメモリボックスの番号が、「００」、「０１」、「０２」…といった２桁の数字で設定される。
【００８０】
次に、ユーザが、セットされた送信しようとする原稿の種類、例えば画像の種類（写真か文字か等）や文字の大きさや濃さに合わせて、操作パネル１２を操作することで画質および濃度を設定する（Ｓ１０３）。画質および濃度の設定も、同様に第２のメモリ１８に記憶される。
【００８１】
ここで、画質とは、読取部（スキャナ）１９における読み取り解像度のことであり、図６に示すような「普通字」、「小さな字」、「精細」、および「高精細」の４つのモードがある。なお、各モードの詳しい内容および読み取り解像度については、図６中に示す。また、濃度にも「自動」、「濃い」、および「薄い」の３つのモードがある。画質および濃度は、これらのモードの中からユーザが任意に設定できるものである。これらは、例えば、画質が「高精細」（４００ｄｐｉ(dots per inch) ×４００ｄｐｉの読み取り解像度）、濃度が「自動」に設定される。
【００８２】
ユーザが、Ｓ１０３にて登録原稿の設定を完了した後、操作パネル１２の登録開始キーを押下すると（Ｓ１０４）、読取部１９にセットされた原稿が特定原稿かどうかの判定を行うためのプリスキャンが行われる（Ｓ１０５）。このプリスキャンは、ユーザが設定した画質および濃度に関係なく、予め定められた画質および濃度で行われる。このＳ１０５でプリスキャンされた原稿の画像データは、画像蓄積部としての第１のメモリ（画像メモリ）２０に登録（記憶）される（Ｓ１０６）。次いで、特定原稿判定部２２により、第１のメモリ２０に記憶された登録原稿の画像データと第３のメモリ２１に記憶されている特定原稿のサンプルデータとが比較され、登録原稿が特定原稿であるか否かが判定される（Ｓ１０７）。
【００８３】
Ｓ１０７での判定の結果、登録原稿が特定原稿ではないと判断されれば、読取部１９は、読取部１９にセットされた原稿を、Ｓ１０３にてユーザが設定したとおりの画質および濃度（例えば、画質「高精細」および濃度「自動」）でスキャンし（Ｓ１０８）、Ｓ１０２にて入力されたメモリボックス番号に対応する第１のメモリ２０上のメモリボックス（指定メモリボックス）に登録原稿の画像データを記憶する（Ｓ１０９）。
【００８４】
一方、Ｓ１０７での判定の結果、登録原稿が特定原稿であると判定された場合、Ｓ１０２にて入力されたメモリボックス番号に対応するメモリボックスの記憶内容、すなわち登録原稿の画像データを消去（クリア）する。それと共に、Ｓ１１１で、Ｓ１０２にて入力されたメモリボックス番号に対応するメモリボックスで特定原稿の登録行為（偽造行為）があったか否かを示す情報として、そのメモリボックスに記憶された登録原稿の画像データに関する情報などを第４のメモリ２３に記憶する。なお、図７では、メモリボックス番号「０１」に対応するメモリボックスに登録された登録原稿が特定原稿であり、メモリボックス番号「０２」に対応するメモリボックスに登録された登録原稿が特定原稿でない例を示している。
【００８５】
なお、図４の説明では、外部からの要求に応じて１枚の原稿に対応する画像データを送信する場合について説明したが、複数枚の原稿に対応する画像データを送信することも可能である。その場合、図４の処理を原稿１枚毎に繰り返してもよく、複数枚の原稿に対してＳ１０１〜Ｓ１０６の画像登録処理を一括して行った後、原稿１枚毎にＳ１０７〜Ｓ１１１の処理を行うようにしてもよい。また、前者の処理方法では、複数枚の原稿の一部に特定原稿が含まれていた場合、その特定原稿の画像データの送信のみが禁止される。後者の処理方法では、複数枚の原稿の一部に特定原稿が含まれていた場合、その特定原稿の画像データの送信のみを禁止してもよいが、特定原稿の画像データを含む全ての原稿画像データの送信を禁止してもよい。
【００８６】
次に、特定原稿の登録行為があったメモリボックスに対して、コンピュータ３Ｂから取り出し要求があった際のディジタル画像形成装置７１の処理動作について図９に基づいて説明する。
【００８７】
まず、コンピュータ３Ｂから通信要求がある（図８のＳ８０１）と、図９に示すように、コンピュータ３Ｂから送られてくる要求信号やコンピュータ３Ｂの識別信号（情報）などを受信する（Ｓ３０１、図８のＳ８０２）。そして、コンピュータ３Ｂから受信したコンピュータ３Ｂの識別信号（情報）をもとにコンピュータ３Ｂ（外部端末）を特定する（Ｓ３０２）。Ｓ３０２での結果、コンピュータ３Ｂが特定されれば、画像データの送信先として設定（管理）すると共に、コンピュータ３Ｂに対して応答信号を送出する（図８のＳ８０３）。
【００８８】
その後、コンピュータ３Ｂからの画像データの送信要求（図８のＳ８０５）があるまで待機する（Ｓ３０３）。待機している状態で、コンピュータ３Ｂからの画像データの送信要求があれば、特定原稿判定・警告文書作成処理ステップＳ３０４〜Ｓ３０７（図８のＳ８０６）に移行する。
【００８９】
特定原稿判定・警告文書作成処理においては、まず、送信要求のあったメモリボックスの番号が特定原稿の登録行為のあったメモリボックスの番号であるかを判定し（Ｓ３０４）、送信要求のあったメモリボックスの番号が特定原稿の登録行為のあったメモリボックスの番号以外であれば、図８のＳ８０７〜Ｓ８１９に示す画像送信処理へ移行し、送信要求のあったメモリボックスに登録されている画像データを送信要求元のコンピュータ３Ｂに送信する（Ｓ３０５）。
【００９０】
一方、Ｓ３０４での判定の結果、メモリボックスの番号が特定原稿の登録行為のあったメモリボックスの番号であれば、上述の画像データを要求してきたコンピュータ３Ｂのアドレス情報（要求元情報；例えば、ＬＡＮ４がＴＣＰ／ＩＰプロトコルを用いたものであれば、「１２３．４５６．７８９．０１２」という形式で表されるＩＰアドレス）を第４のメモリ２３に登録する（Ｓ３０６）。続いて、特定原稿の登録行為のあったメモリボックスに送信要求があった旨の着信記録を印刷（プリントアウト）する（Ｓ３０７）と共に、上述の警告文書作成部２４で偽造行為に対する警告の文書を作成し、作成された警告文書をメモリボックス「０１」に送信画像データとして記憶する（Ｓ３０８）。そして、警告文書の画像データを送信要求元のコンピュータ３Ｂに送信する（Ｓ３０５）。なお、Ｓ３０７のステップは省略が可能である。
【００９１】
以上のように、本実施形態のディジタル画像形成装置７１においては、読取部１９で生成されメモリボックスに登録された原稿の画像データが特定原稿の画像データであると判断されると、メモリボックスに登録された登録原稿の画像データを消去し、特定原稿の登録行為があったことだけを記憶するようになっている。それゆえ、ディジタル画像形成装置１では、外部のコンピュータ３Ｂから登録原稿の送信要求があっても、その登録原稿が特定原稿であれば、送信要求側のコンピュータ３Ｂに対する登録原稿の画像データの送信が禁止される。従って、送信要求側のコンピュータ３Ｂの出力装置（印刷装置）では、特定原稿の画像を出力（印刷）することはできない。これにより、特定原稿の画像データをコンピュータ３Ｂに送信することによる特定原稿の偽造行為を防止できる。
【００９２】
しかも、本実施形態のディジタル画像形成装置７１においては、特定原稿に対する送信要求を受けたときに、送信要求側のコンピュータ３Ｂのアドレス情報を記憶するので、特定原稿の偽造行為を行おうとしたコンピュータ３Ｂを特定することができる。これにより、どこのコンピュータ３Ｂで特定原稿の偽造行為が図られたのか等を特定でき、偽造行為の追跡を行うことができる。
【００９３】
なお、要求のあったメモリボックスが特定原稿の登録行為のあったメモリボックスであった場合には、メモリボックスの登録画像の取り出し要求（送信要求）を送ってきた外部のコンピュータ３Ｂの識別情報（例えば、アドレス情報）を記憶するとともに、今後、この識別番号を持つ外部のコンピュータ３Ｂからの着信を受付けないようにする機能を、制御部１６に持たせるようにすることも可能である。こうした場合には、今回の偽造防止も含めて、今後この外部のコンピュータ３Ｂによる偽造を確実に防止することができる。
【００９４】
また、以上の説明では、コンピュータ３Ｂからの送信要求による送信において、コンピュータ３Ｂへの特定原稿の画像送信を防止する場合について説明した。しかしながら、本実施形態のディジタル画像形成装置１は、他のネットワーク機能を備えた外部装置（例えばネットワーク機能付のファクシミリ装置２Ｂ）からの送信要求に応じてその外部装置へ送信することも可能であり、その場合にも同様にして外部装置への特定原稿の画像送信を防止することができる。また、以上の各実施形態では、原稿の画像データを登録した時点で特定原稿の画像データを消去することにより、特定原稿の画像データの送信を禁止していたが、原稿の画像データを送信する時点で特定原稿の画像データを禁止または制限するようにしてもよい。
【００９５】
また、原稿の画像データを送信する時点で特定原稿の画像データを禁止または制限する場合、送信要求先に応じて画像データの送信を制御することも可能である。例えば、一部のユーザに対して情報公開の制限が必要な特定原稿の画像を含む多数の画像を登録した画像データベースが構築された環境下において、何段階かの情報公開レベルを送信要求先毎に設定しておき、画像データの送信が要求された時点で、送信要求先の情報公開レベルに応じて特定原稿の画像データの送信（公開）を制御することも可能である。また、このような送信要求先の情報公開レベルに応じた送信制御を行う場合、送信要求先の情報公開レベルに応じて、特定原稿の画像データの送信を許容する端末と、特定原稿の画像データの送信を禁止する端末とを階層分けしておくことが可能である。
【００９６】
〔第３の実施の形態〕
第２の実施の形態では、ネットワークスキャナとしての機能を有し、予め記憶されている画像データを外部のコンピュータ３Ｂからの要求に応じて送信するディジタル画像形成装置７１について説明した。次に、第３の実施の形態として、外部のコンピュータ３Ｂからの送信要求に応じて画像データを準備し、送信を要求してきたコンピュータ３Ｂに対して画像データを送信するディジタル画像形成装置について図１０に基づいて説明する。なお、説明の便宜上、前記実施の形態１または２にて示した各部材と同一の機能を有する部材には、同一の符号を付記し、その説明を省略する。
【００９７】
本実施形態のディジタル画像形成装置は、図示しないが、制御部１６が、インターネット５やＬＡＮ６等のコンピュータ・ネットワークを介してネットワーク機能付のコンピュータ３Ｂ等の外部端末から画像データの送信要求を受け取り、その送信要求に応じて、読取部１９を動作させて画像データを生成させると共に、生成された画像データを画像データ送受信部３４から送信させるよう制御する機能を備えている点以外は、第２の実施の形態のディジタル画像形成装置７１と同様である。
【００９８】
上記の送信要求は、第２の実施の形態のように送信しようとする画像データが登録されたメモリボックスの番号を指定するものではなく、読取部１９における画質および濃度を指定するものである。
【００９９】
次に、本実施形態のディジタル画像形成装置において、コンピュータ３Ｂ等の外部端末からインターネット５やＬＡＮ６を介して画像データの送信要求があった際の処理動作について図１０に基づいて説明する。なお、送信要求時には、送信しようとする原稿が読取部１９にセットされているものとする。
【０１００】
コンピュータ３Ｂ等の外部端末からコンピュータ・ネットワークを介して画像データの送信のための通信要求があると（Ｓ４０１）、まず、外部端末から送られてくる信号（情報）をもとに外部端末を特定する（Ｓ４０２）。Ｓ４０２での結果、外部端末が特定されれば画像データの送信先として管理する。
【０１０１】
その後、待機している状態で外部端末から原稿画像の送信要求があれば（Ｓ４０３）、第１のメモリ２０上に画像データを準備する（Ｓ４０４）。すなわち、送信要求に応じた画質および濃度の設定で読取部１９により原稿の読み取りを行い、画像データを生成させると共に、その画像データを読取部１９から第１のメモリ２０に取り込み、送信する画像データとして第１のメモリ２０上に一旦記憶させる。
【０１０２】
次いで、特定原稿判定部２２により、第１のメモリ２０上に準備した画像データと第３のメモリ２１に記憶されている特定原稿のサンプルデータとが比較され、第１のメモリ２０に取り込んだ画像データが特定原稿の画像データであるか否かが判定される（Ｓ１０７）。第１のメモリ２０に取り込んだ画像データが特定原稿の画像データではないと判定されれば、図８のＳ８０７〜Ｓ８１９に示す画像送信処理と同様にして、第１のメモリ２０に取り込んだ画像データを送信要求元の外部端末に送信する（Ｓ４０９）。
【０１０３】
一方、Ｓ４０５での判定の結果、第１のメモリ２０に取り込んだ画像データが特定原稿の画像データであると判定されれば、上述の画像データの送信を要求してきた外部端末のアドレス情報（例えば、ＴＣＰ／ＩＰプロトコルを用いたコンピュータ・ネットワークであれば、「１２３．４５６．７８９．０１２」という形式で表されるＩＰアドレス）や、送信要求のあった画像データ（特定原稿の画像データ）に関する情報を第４のメモリ２３に記憶させる（Ｓ４０７）。続いて、上述の警告文書作成部２４で偽造行為に対する警告の文書を作成し、作成された警告文書を第１のメモリ２０に送信画像データとして記憶させる（Ｓ４０８）。そして、警告文書の画像データを送信要求元のコンピュータ３Ｂに送信する  （Ｓ４０９）。
【０１０４】
以上のように、本実施形態においては、外部のコンピュータ３Ｂから原稿の画像データの準備および送信の要求があっても、読取部１９で原稿を読み取ることにより第１のメモリ２０上に準備された画像データの送信時に、送信する画像データが特定原稿の画像データであれば、第１のメモリ２０を消去し、特定原稿の送信要求があった事だけを記憶する。それゆえ、特定原稿の画像データは、送信要求側のコンピュータ３Ｂに送信されない。従って、送信要求側のコンピュータ３Ｂの出力装置（印刷装置）では、特定原稿の画像を出力（印刷）することはできない。これにより、特定原稿の画像データをコンピュータ３Ｂに送信することによる特定原稿の偽造行為を防止できる。
【０１０５】
しかも、本実施形態のディジタル画像形成装置７１においては、特定原稿に対する送信要求を受けたときに、送信要求側のコンピュータ３Ｂのアドレス情報を記憶するので、特定原稿の偽造行為を行おうとしたコンピュータ３Ｂを特定することができる。これにより、どこのコンピュータ３Ｂで特定原稿の偽造行為が図られたのか等を特定でき、偽造行為の追跡を行うことができる。
【０１０６】
なお、第１のメモリ２０に取り込んだ画像データが特定原稿の画像データであった場合には、送信要求を送ってきた外部端末の識別情報を記憶するとともに、今後、この外部端末からの着信を受付けないようにする機能を、制御部１６に持たせるようにすることも可能である。こうした場合には、今回の偽造防止も含めて、今後この外部端末による偽造を確実に防止することができる。
【０１０７】
また、本実施形態においては、送信要求先に応じて画像データの送信を制御することも可能である。例えば、一部のユーザに対して情報公開の制限が必要な特定原稿の画像を含む多数の画像を登録した画像データベースが構築された環境下において、何段階かの情報公開レベルを送信要求先毎に設定しておき、画像データの送信が要求された時点で、送信要求先の情報公開レベルに応じて特定原稿の画像データの送信（公開）を制御することも可能である。また、このような送信要求先の情報公開レベルに応じた送信制御を行う場合、送信要求先の情報公開レベルに応じて、特定原稿の画像データの送信を許容する端末と、特定原稿の画像データの送信を禁止する端末とを階層分けしておくことが可能である。
【０１０８】
〔第４の実施の形態〕
第２および第３の実施の形態では、図１１に概略を示すように、読取部１９と、制御部１６、記憶部（第１のメモリ２０、第３のメモリ２１、第４のメモリ２４）、画像データ送受信部３４等の画像送信に関わる部分２５とが一体になったディジタル画像形成装置７１を説明した。
【０１０９】
これに対し、図１２に示すように、読取部１９および画像送信に関わる部分２５をそれぞれスキャナ装置（外部の画像送信装置）２９および画像送信装置３１として独立させ、これらを組み合わせてシステムを構成することも可能である。
【０１１０】
このような構成においては、コンピュータ３Ｂなどの外部端末からインターネット５やＬＡＮ６を介して画像送信装置３１に画像データの送信要求があった際には、画像送信装置３１の制御部１６がスキャナ装置２９に原稿の読取り命令を出力する。スキャナ装置２９は、画像送信装置３１からの指示（命令）により読取部１９が原稿を走査し、原稿から得られた画像データを画像送信装置３１に送信する。画像送信装置３１は、この画像データを記憶部（第１のメモリ２０）に記憶する。
【０１１１】
そして、画像送信装置３１は、上記の画像データを画像データ送受信部３４から、送信要求を行ったコンピュータ３Ｂ、または、コンピュータ３Ｂにより送信先として指定された他の外部装置に対して送信する。
【０１１２】
また、このような構成においては、画像送信装置３１とは別に独立した制御部をスキャナ装置２９に設けてもよいし、画像送信装置３１の制御部１６によって、スキャナ装置２９を制御することも可能である。
【０１１３】
また、図１３に示すように、これらのスキャナ装置２９および画像送信装置３１をＬＡＮ６上に独立して接続した環境下で利用することも可能である。
【０１１４】
このような構成においては、コンピュータ３Ｂなどの外部端末からＬＡＮ６を介して画像送信装置３１に画像データの送信要求があった際には、画像送信装置３１がＬＡＮ６を介してスキャナ装置２９に原稿の読取り命令を出力する。スキャナ装置２９は、画像送信装置３１からの指示（命令）により読取部１９が原稿を走査し、原稿から得られた画像データをＬＡＮ６を経由して画像送信装置３１に送信する。この画像データは、画像送信装置３１内の記憶部（第１のメモリ２０）に記憶される。
【０１１５】
そして、画像送信装置３１は、上記の画像データを画像データ送受信部３４から、送信要求を行ったコンピュータ３Ｂ、または、コンピュータ３Ｂにより送信先として指定された他の外部装置に対して送信する。
【０１１６】
また、このような構成においては、上記のようにコンピュータ３Ｂなどの外部端末から画像送信装置３１に画像データの送信要求を送り、この送信要求に基づいて画像送信装置３１がスキャナ装置２９を制御することも可能であるし、コンピュータ３Ｂなどの外部端末から画像送信装置３１とスキャナ装置２９とに画像データの送信要求を送り、この送信要求によって直接的にスキャナ装置２９を制御することも可能である。
【０１１７】
なお、本実施形態に係る画像送信装置３１は、プリンタ１３および読取部１９を備えない点、画像データ送受信部３４が外部のスキャナ装置２９から送信された画像データを受信する画像受信部としての機能を兼ね備える点、および制御部１６が、外部のスキャナ装置２９に対して画像データの送信を要求する画像送信要求部としての機能を兼ね備え、外部のスキャナ装置２９の動作を制御できるようになっている点以外は、第２および第３の実施形態のディジタル画像形成装置７１と同様である。
【０１１８】
また、本実施形態の画像送信装置３１において、コンピュータ３Ｂ等の外部端末からインターネット５やＬＡＮ６を介して画像データの送信要求があった際の処理動作も、制御部１６が読取部１９を動作させる代わりに、外部のスキャナ装置２９に対して画像データの送信を要求し、外部のスキャナ装置２９から画像データを取り込む以外は、第２の実施形態または第３の実施形態におけるディジタル画像形成装置７１の処理動作と同様である。
【０１１９】
なお、以上の各実施形態では、画像送信の要求元の外部装置と送信先の外部装置（外部受信装置）が同一である場合について説明したが、画像送信の要求元の外部装置と送信先の外部装置（外部受信装置）は異なっていてもよい。
【０１２０】
【発明の効果】
本発明の画像送信装置は、以上のように、通信ネットワークを介して外部装置と接続され、外部装置からの要求に応じて動作可能な画像送信装置であって、原稿の画像を読み取り画像データを生成する画像読み取り部と、上記画像データに対する外部装置からの送信要求に応じて上記画像データを外部の画像受信装置へ送信する画像送信部と、上記画像読み取り部で生成された画像データが特定画像データであるか否かを判定する特定画像判定部と、上記特定画像判定部によって上記画像データが特定画像データであると判定された場合に、上記画像送信部における画像データの送信を禁止または制限する送信制御部と、上記特定画像判定部によって上記画像データが特定画像データであると判定された場合に、その画像データの送信を要求した外部装置の識別情報を記憶する送信要求元情報記憶部と、上記送信要求元情報記憶部に記憶された識別番号を持つ外部装置からの着信を受付けない着信制御部とを備えている構成である。また、本発明の画像送信装置の好ましい一形態は、上記各部に加えて、上記画像読み取り部で生成された画像データを蓄積する画像蓄積部をさらに備え、上記画像送信部は、上記送信要求に応じて、上記画像蓄積部に予め蓄積された画像データを外部の受信装置へ送信する構成である。また、本発明の画像送信装置の他の好ましい形態は、上記各部に加えて、外部装置からの送信要求に応じて、上記画像読み取り部を動作させて画像データを生成させると共に、生成された画像データを画像送信部から送信させるよう制御する制御部をさらに備えている構成である。
【０１２１】
これらの構成によれば、画像読み取り部で生成された画像データが特定画像データと判断された場合には、画像送信部における画像データの送信を制御（好ましくは禁止または制限）するので、画像読み取り部で生成された特定原稿の画像データを外部から取得する特定原稿の偽造行為を防止することができるという効果を奏する。
【０１２２】
本発明の画像送信装置は、以上のように、通信ネットワークを介して外部装置と接続され、外部装置からの要求に応じて動作可能な画像送信装置であって、外部の画像送信装置から送信された画像データを受信する画像受信部と、上記画像データに対する外部装置からの送信要求に応じて上記画像データを外部の画像受信装置へ送信する画像送信部と、上記画像受信部により受信された画像データが特定画像データであるか否かを判定する特定画像判定部と、上記特定画像判定部によって上記画像データが特定画像データであると判定された場合に、上記画像送信部における画像データの送信を禁止または制限する送信制御部と、上記特定画像判定部によって上記画像データが特定画像データであると判定された場合に、その画像データの送信を要求した外部装置の識別情報を記憶する送信要求元情報記憶部と、上記送信要求元情報記憶部に記憶された識別番号を持つ外部装置からの着信を受付けない着信制御部とを備えている構成である。また、本発明の画像送信装置の好ましい一形態は、上記各部に加えて、上記画像受信部により受信された画像データを蓄積する画像蓄積部をさらに備え、上記画像送信部は、上記送信要求に応じて、上記画像蓄積部に予め蓄積された画像データを外部の受信装置へ送信する構成である。また、本発明の画像送信装置の他の好ましい形態は、上記各部に加えて、外部装置からの送信要求に応じて、外部の画像送信装置に対して画像データの送信を要求する画像送信要求部をさらに備えている構成である。
【０１２３】
これらの構成によれば、外部の画像送信装置から受信した画像データが特定画像データと判断された場合には、画像送信部における画像データの送信を制御（好ましくは禁止または制限）するので、外部から画像送信装置に入力された特定原稿の画像データを外部から取得する特定原稿の偽造行為を防止することができるという効果を奏する。
【０１２４】
また、上記各構成の画像送信装置は、上記画像データが特定画像データであると判定された場合に、その画像データの送信を要求した外部装置に関する情報を記憶する送信要求元情報記憶部をさらに備えていることが好ましい。
【０１２５】
上記構成によれば、画像データの送信を要求した外部装置に関する情報を記憶するので、どこの外部装置で特定原稿の偽造行為が図られたのか等を特定でき、偽造行為の追跡を行うことができるという効果を奏する。
【０１２６】
本発明の画像送信方法は、以上のように、画像データを入力する第１のステップと、上記画像データが特定画像データであるか否かを判定する第２のステップと、通信ネットワークを介して画像データの送信要求を受け取る第３のステップと、上記送信要求に応じて画像データを送信する第４のステップとを含み、上記上記第４のステップでは、第２のステップで上記画像データが特定画像データであると判定された場合に、画像データの送信を禁止または制限し、上記第２のステップで上記画像データが特定画像データであると判定された場合に、その画像データの送信を要求した外部装置の識別情報を記憶し、上記第４のステップの後、上記送信要求元情報記憶部に記憶された識別番号を持つ外部装置からの着信を受付けない方法である。
【０１２７】
上記方法によれば、入力した画像データが特定画像データと判断された場合には、画像データの送信を制御（好ましくは禁止または制限）するので、通信ネットワークを介して特定原稿の画像データを取得することにより行われる特定原稿の偽造行為を防止することができるという効果を奏する。
【図面の簡単な説明】
【図１】本発明の一実施形態に係る画像送信装置としてのディジタル画像形成装置の構成を示すブロック図である。
【図２】図１のディジタル画像形成装置が接続されたネットワークの構成例を示す説明図である。
【図３】ファクシミリのポーリング通信手順の一例を示す説明図である。
【図４】図１のディジタル画像形成装置における、特定原稿の登録行為があった場合の処理フローを示すフローチャートである。
【図５】図１のディジタル画像形成装置における、特定原稿の登録行為があったメモリボックスに画像データの取り出し要求があった場合の処理フローを示すフローチャートである。
【図６】画質モードに対応したスキャナの読み取り解像度を示す説明図である。
【図７】本発明の他の実施形態に係る画像送信装置としてのディジタル画像形成装置の構成を示すブロック図である。
【図８】図７のディジタル画像形成装置と外部端末との間で行われる通信手順の一例を示す説明図である。
【図９】図７のディジタル画像形成装置における、特定原稿の登録行為があったメモリボックスに画像データの取り出し要求があった場合の処理の流れを示すフローチャートである。
【図１０】本発明のさらに他の実施形態に係る画像送信装置としてのディジタル画像形成装置における、送信要求に応じて準備された画像データが特定原稿であった場合の処理の流れを示すフローチャートである。
【図１１】図７のディジタル画像形成装置の概略を示すブロック図である。
【図１２】本発明のさらに他の実施形態に係る画像送信装置としての画像送信装置とスキャナ装置とからなるシステムの構成例の概略を示す説明図である。
【図１３】本発明のさらに他の実施形態に係る画像送信装置としての画像送信装置とスキャナ装置とからなるシステムの他の構成例の概略を示す説明図である。
【符号の説明】
１  ディジタル画像形成装置（画像送信装置）
２Ａ・２Ｂ  ファクシミリ装置（外部装置、外部の画像受信装置）
３Ａ・３Ｂ  コンピュータ（外部装置、外部の画像受信装置）
４  公衆回線（通信ネットワーク）
５  インターネット（通信ネットワーク）
６  ＬＡＮ（通信ネットワーク）
１１  画像読取装置
１２  操作パネル
１３  プリンタ
１４  ＦＡＸ送受信部（画像送信部）
１５  電子メール送受信部
１６  制御部（送信制御部、制御部）
１７  パネル制御部
１８  第２のメモリ
１９  読取部（画像読み取り部）
２０  第１のメモリ（画像蓄積部）
２２  特定原稿判定部（特定画像判定部）
２３  第４のメモリ（特定画像情報記憶部、送信要求元情報記憶部）
３１  画像送信装置
３４  画像データ送受信部（画像送信部）
７１  ディジタル画像形成装置（画像送信装置）
【図１】
0004076743.tif 000002
【図２】
0004076743.tif 000003
【図３】
0004076743.tif 000004
【図４】
0004076743.tif 000005
【図５】
0004076743.tif 000006
【図６】
0004076743.tif 000007
【図７】
0004076743.tif 000008
【図８】
0004076743.tif 000009
【図９】
0004076743.tif 000010
【図１０】
0004076743.tif 000011
【図１１】
0004076743.tif 000012
【図１２】
0004076743.tif 000013
【図１３】
0004076743.tif 000014